(57)【特許請求の範囲】
【請求項１】
作業台に装着されるキャリアベースと、写真フイルムの画像コマに合わせたマスクが設けられた原稿台と、写真フイルムを搬送する搬送ローラとを備えたフイルムキャリアにおいて、
前記原稿台は、前記搬送ローラが組み込まれているとともに、前記キャリアベースに対して着脱自在に取り付けられ、写真フイルムの種類に応じて交換可能になっていることを特徴とするフイルムキャリア。
【請求項２】
前記キャリアベースには、前記搬送ローラにより搬送される写真フイルムの位置検出を行う位置検出センサが設けられていることを特徴とする請求項１記載のフイルムキャリア。
【請求項３】
前記位置検出センサは、写真フイルムに形成されたパーフォーレーションを検出する光学式センサであることを特徴とする請求項２記載のフイルムキャリア。
【請求項４】
前記位置検出センサは、写真フイルムの画像コマのエッジを検出する光学式センサであることを特徴とする請求項１又は２記載のフイルムキャリア。
【発明の詳細な説明】
【０００１】
【発明の属する技術分野】
本発明は画像読取装置に関し、フイルムマスクを交換可能にした汎用タイプのフイルムキャリアに関するものである。
【０００２】
【従来の技術】
写真フイルムに記録された各画像コマをＣＣＤで読み取り、デジタル的に加工した後に、印画紙等にプリントすることが行われている。この場合に、フイルム搬送路に設けた光透過部から、光源の光を写真フイルムに照射し、この写真フイルムの透過光をＣＣＤで撮像することにより、画像情報の読み取りを行っている。
【０００３】
一方、写真フイルムには様々な種類があり、読み取りの対象となるフイルムとしては、例えば、１３５サイズの写真フイルム、ＩＸ２４０タイプの写真フイルムの他に、１１０サイズ、１２０や２２０サイズ（ブローニーサイズ、２Ｂサイズとも言う）などがある。これらの写真フイルムの読み取りには、専用のフイルムキャリアが用いられる他に、部品の交換などで様々な種類の写真フイルムに対応する汎用タイプのフイルムキャリアも使用可能である。このような汎用タイプのフイルムキャリアとしては例えば、特開２０００−７５４１７号公報、特開平７−２７０９３８号公報、及び特開平８−１７９４４１号公報に示すフイルムキャリアのように、フイルムマスクを交換可能とする構造としており、搬送する写真フイルムの種類に合わせたフイルムマスクを選択して装着している。
【０００４】
【発明が解決しようとする課題】
しかしながら、上記公報記載のフイルムキャリアでは、フイルムマスクを交換可能とする構造にしているものの、写真フイルムを読取位置へ送り込む、あるいは送り出すための搬送ローラについては考慮されていない。よって、搬送する写真フイルムの幅と搬送ローラの幅とが合わず、読取位置に対してずれた方向に搬送されるおそれがある。また、上記特開２０００−７５４１７号公報記載のフイルムキャリアでは、写真フイルムの画像コマの先端位置を合わすため、目視により確認を行って位置を調節しており、非常に効率が悪い。
【０００５】
本発明は上記課題を解決するためのものであり、複数の種類の写真フイルムに対応し、効率よく搬送できるようにしたフイルムキャリアを提供することを目的とする。
【０００６】
【課題を解決するための手段】
上記目的を達成するために、本発明に係るフイルムキャリアは、作業台に装着されるキャリアベースと、写真フイルムの画像コマに合わせたマスクが設けられた原稿台と、写真フイルムを搬送する搬送ローラとを備えており、原稿台には、搬送ローラが組み込まれているとともに、キャリアベースに対して原稿台を着脱自在に取り付けられ、写真フイルムの種類に応じて交換可能になっている。
【０００７】
なお、キャリアベースには、搬送ローラにより搬送される写真フイルムの位置検出を行う位置検出センサが設けられていることが好ましい。さらに、位置検出センサは、写真フイルムに形成されたパーフォーレーションを検出する光学式センサであることや、写真フイルムの画像コマのエッジを検出する光学式センサであることなども本発明においては効果的である。
【０００８】
【発明の実施の形態】
図１は本発明を実施したデジタルラボシステムの概略構成図である。デジタルラボシステム１０は、エリアＣＣＤスキャナ１１、画像処理装置１２からなる入力装置１３と、レーザープリンタ部１４及びプロセサ部１５からなる出力装置１６とを含んで構成されている。
【０００９】
エリアＣＣＤスキャナ１１は、写真フイルムに記録されている画像をエリアＣＣＤで読み取る。読取対象フイルムは、例えば１１０タイプ、１２６タイプ、１３５タイプ、ＩＸ２４０タイプ、１２０や２２０タイプ（ブローニータイプ、２Ｂとも言う）などの各種写真フイルムであり、これら様々な種類の写真フイルム１７に対応するために、本実施形態の汎用タイプのフイルムキャリア１８が使用される。
【００１０】
画像処理装置１２は、読み取った画像データに対して各種の補正等の画像処理を行い、記録用画像データとしてレーザプリンタ部１４に出力する。画像処理としては、グレイバランス調整、階調補正、および濃度（明るさ）調整、マトリクス（ＭＴＸ）による撮影光源種補正や画像の彩度調整（色調整）がある。この他に、必要に応じて、電子変倍処理、覆い焼き処理（濃度ダイナミックレンジの圧縮／伸長）、シャープネス（鮮鋭化）処理等が行われる。これらの処理は、ローパスフィルタ、加算器、ＬＵＴ、ＭＴＸ等を用い、または、これらを適宜組み合わせて行う平均化処理や補間演算等により実施される。
【００１１】
また、画像処理装置１２は、画像処理済みの画像データを画像ファイルとして外部装置１９に出力する。例えば、メモリカードやＣＤＲＯＭ等の記憶媒体１９ａに出力したり、通信回線を介してその他の情報処理機器１９ｂに送信したりする。
【００１２】
レーザプリンタ部１４は、Ｒ，Ｇ，Ｂのレーザ光源及び変調部を備えている。そして、変調部により記録用画像データに基づきレーザ光源からの各レーザを変調し、この変調したレーザにより印画紙を走査露光して、画像を印画紙に記録する。プロセサ部１５は、走査露光済みの印画紙に対して発色現像、漂白定着、水洗、乾燥の各処理を行い、現像処理する。
【００１３】
図２は、エリアＣＣＤスキャナ１１を構成する光源部２０及び読取光学部２１の概略構成を示している。この光源部２０は、メタルハライドランプやハロゲンランプ等からなる光源２２を備えている。光源２２はリフレクタ２３にその焦点位置で配置されている。リフレクタ２３は赤外光（ＩＲ）を透過する材料により構成されており、その反射面が放物面状に形成されている。光源２２からの光はリフレクタ２３により反射され、写真フイルム１７に向けて照射される。なお、光源２２としてはＬＥＤ等を用いてもよい。
【００１４】
光源２２の光射出側には、ＩＲカットフィルタ２４、光量調整絞り板２５、バランスフィルタ２６、光拡散ボックス２７、拡散板２７ａが光軸Ｌに沿って順に配置されている。光量調整絞り板２５は光軸Ｌへの挿入位置が可変とされており、これにより光量が調整される。また、バランスフィルタ２６は色温度調整のために、ネガフイルム用フィルタ２６ａとリバーサルフイルム用フィルタ２６ｂとが設けられており、これらのひとつが選択的に光軸Ｌに挿入される。
【００１５】
読取光学部２１は、結像レンズユニット２８及びイメージセンサ２９を備えている。結像レンズユニット２８及びイメージセンサ２９は、写真フイルム１７を挟んで光源２２と反対側に、光軸Ｌに沿って順に配置されている。結像レンズユニット２８は、写真フイルム１７に記録された画像コマ３０をイメージセンサ２９の受光面に結像させる。図２では結像レンズユニット２８は単一のレンズのみを示しているが、この結像レンズユニット２８は複数枚のズームレンズなどであってもよい。また、結像レンズユニット２８は図示しないレンズモータにより光軸Ｌに沿って微動可能に構成されており、これによりピント調節が行われる。
【００１６】
エリア型のイメージセンサ２９はＲ，Ｇ，Ｂの各ＣＣＤセルをマトリックス状に並べて構成されている。これにより、エリアＣＣＤスキャナ１１を構成する結像レンズユニット２８の光軸Ｌ上で静止した写真フイルム１７の１コマ分の画像が読み取られる。
【００１７】
図３は画像読取装置の全体構成の概略を示す正面図であり、図４は同平面図である。なお、図４においては、図面の煩雑化を防ぐため、カバー５１の図示を省略している。作業台３５には、フイルムキャリア１８が着脱自在にセットされる。作業台３５の内部には光源部２０が配置され、フイルムキャリア１８内の写真フイルム１７を照明する。また、フイルムキャリア１８の上方には、前記結像レンズユニット２８及びイメージセンサ２９を有する読取光学部２１が配置されている。さらに、読取光学部２１の左側には、読み取った各画像コマを表示するディスプレイ４０が配置されている。
【００１８】
フイルムキャリア１８は、詳しくは図５及び図６に示すように、キャリアベース４０と、カバー４１と、キャリアベース４０に配置される移動原稿台４２、原稿台移動機構４３（図４参照）、シャーカステン４４とから構成されている。なお、図５はフイルムキャリア１８の使用時の状態を示し、図６は、メインテナンス時の状態を示すものである。カバー４１は、後端部に設けられた回動軸４１ａを介して開閉自在にキャリアベース４０に取り付けられており、使用時には、図５に示すようにカバー４１が閉じ位置にあり、移動原稿台４２などの内部機構を覆い隠し、メインテナンス時には図６に示すようにカバー４１が開放位置にあり、内部機構が露呈する。キャリアベース４０の底部中央には、光源部２０の拡散ボックス２７の上部が入り込む開口４０ａが形成されている。また、開口４０ａに対して写真フイルム１７の送り方向の上流側には、シャーカステン４４が配置されている。キャリアベース４０とカバー４１との間には、一端部に挿入口４５が、他端部には排出口４６が形成されており、挿入口から挿入された写真フイルム１７が移動原稿台４２により搬送され、また移動原稿台４２から送り出された写真フイルム１７は、排出口４６から排出される。
【００１９】
シャーカステン４４は照明装置４４ａから構成されている。照明装置４４ａは移動原稿台４２の後述する投光窓５６より大きいサイズの発光面を備えており、写真フイルム１７の画像コマ３０を照明する。
【００２０】
本実施形態では、カバー４１の上面には、２つの透明窓４７ａ，４７ｂが形成されており、それぞれシャーカステン４４、及び開口４０ａの上方に配置されている。これらの透明窓４７ａ，４７ｂを通して、移動原稿台４２上の写真フイルム１７を観察することができる。また、シャーカステン４４の上方に位置する透明窓４７ａに画像コマの位置合わせ基準となる基準線を設けてもよい。なお、本実施形態では，カバー４１の上面に透明窓を設けたが、これに限らず、上部を開口を形成して、内部の移動原稿台４２を露呈させるようにしてもよい。
【００２１】
移動原稿台４２は、矩形枠状に形成されており、フイルムキャリア１８に対して着脱自在に取り付けられており、後述する原稿台移動機構４３により開口４０ａの上方に位置する読取位置（図４の実線位置）と、シャーカステン４４の上方に位置する確認位置（２点鎖線位置）との間で移動自在となっている。この移動原稿台４２の内部には写真フイルム搬送路５５が形成されている。そして、この写真フイルム搬送路５５の中央部には、写真フイルム１７の１コマ分の画像サイズからなる投光窓５６が形成されている。また、投光窓５６の上方にはキャリアマスク５７が昇降自在に設けられている。キャリアマスク５７は、写真フイルム１７の送り中は上方に退避しており、画像の読み取りの際には、図示しないソレノイド及びコイルバネにより下方に向けて付勢される。これにより写真フイルム１７が平坦になるように押さえられる。
【００２２】
投光窓５６に対して、フイルム送り方向の上流側及び下流側の位置で移動原稿台４２には、フイルム送りローラ対５８，５９が設けられている。この２組のフイルム送りローラ対５８，５９は図示しないベルトを介して同期して回転するように構成されている。また、排出口側のフイルム送りローラ対５９の軸端部には従動ギヤ６５が取り付けられており、この従動ギヤ６５は、移動原稿台４２が写真フイルム１７の読取位置にあるときに、キャリアベース４０側の駆動ギヤ６６に噛み合って、フイルム送りモータ６７の駆動をフイルム送りローラ対５８，５９に伝達する。コントローラによりフイルム送りモータ６７が駆動されると、フイルム送りローラ対５８，５９が回転して写真フイルム１７をフイルム送り方向に送り出す。この移動原稿台４２は、写真フイルム１７のサイズに種類に合わせた、異なるサイズのキャリアマスク５７が設けられたものと交換可能となっている。これにより、移動原稿台４２を交換するだけで、様々な種類の写真フイルム１７に対応することができる。なお、この移動原稿第４２の交換時には、カバー４１を開放状態にして、フイルムキャリア１８の内部を露呈させる。
【００２３】
原稿台移動機構４３は、ガイド棒７０と、嵌合部７１と、摘み部７２とからなる。ガイド棒７０は、移動原稿台４２の移動方向に平行に配置されている。ガイド棒７０は、嵌合部７１とスライド移動自在に嵌合する。摘み部７２は、嵌合部７１と一体に形成され、キャリアベース４０に形成された開口４０ａから外部に露呈している。これにより、外部から摘み部７２を操作し、嵌合部７１をガイド棒７０に沿ってスライド移動させることができる。嵌合部７１には、取付軸７３が一体に形成されている。この取付軸７３は、移動原稿台４２に設けられた取付孔７４と着脱自在に嵌合する。移動原稿台４２は、取付孔７４を取付軸７３に嵌合させることによって嵌合部７１に装着される。これにより、移動原稿台４２は、ガイド棒７０に沿って読取位置と確認位置との間でスライド移動することが可能となり、摘み部７２を操作することにより、その位置を選択することができる。そして、移動原稿台４２が確認位置にあるときには、移動原稿台４２上の各画像コマ３０の画像内容の確認が可能となり、移動原稿台４２が読取位置にあるときには、移動原稿台４２に組み込まれたフイルム送りローラ対５８，５９により、写真フイルム１７の搬送をすることができる。
【００２４】
キャリアベース４０には、位置検出センサとしての第１パーフォレーションセンサ７４、第２パーフォレーションセンサ７５、画面検出センサ７６，７７，７８が設けられており、これらは開口４０ａとシャーカステン４４との間に位置し、移動原稿台４２が読取位置にあるときには、移動原稿台４２の上流側に位置する。
【００２５】
第１パーフォレーションセンサ７４は、１１０タイプの写真フイルムを読み取るときに、第２パーフォレーションセンサ７５は、１２６タイプの写真フイルムを読み取るときに、そして、画面検出センサ７６，７７，７８はブローニータイプの写真フイルムを読み取るときに使用する。これらのセンサ７４，７５，７６７７，７８は、それぞれ、キャリアベース４０側に取り付けられた発光素子７９と、カバー４１側に取り付けられた受光素子８０とから構成される。発光素子７９には発光ダイオード（ＬＥＤ）が用いられ、また、受光素子８０にはフォトトランジスタが用いられている。
【００２６】
写真フイルム１７として１１０タイプの写真フイルム１７ａの読み取りを行うときには、図７（Ａ）に示すように、第１パーフォレーションセンサ７４を使用し、写真フイルム１７ａのパーフォレーション８１を検出する。第１パーフォレーションセンサ７４はパーフォレーション８１に合わせた位置に配置されている。なお、このとき使用されている移動原稿台４２も、１１０タイプの写真フイルム１７ａの幅に合わせた幅に形成されたフイルム送りローラ対５８、５９と、写真フイルム１７ａの画像コマ３０のサイズに合わせたキャリアマスク５７が組み込まれている。なお、１２６タイプの写真フイルム１７ｂ、及びブローニータイプの写真フイルム１７ｃを使用したときも同様に、写真フイルム１７ｂ，１７ｃのサイズに合わせたフイルム送りローラ対５８，５９及びキャリアマスク５７が組み込まれている。
【００２７】
また、１２６タイプの写真フイルム１７ｂの読み取りを行うときには、図７  （Ｂ）に示すように、第２パーフォレーションセンサ７５を使用し、写真フイルム１７のパーフォレーション８２を検出する。第１パーフォレーションセンサ７５はパーフォレーション８２に合わせた位置に配置されている。
【００２８】
さらに、ブローニータイプの写真フイルム１７ｃの読み取りを行うときには、図７（Ｃ）に示すように、画面検出センサ７６，７７，７８を使用し、写真フイルム１７ｃの画像コマ３０を検出する。画面検出センサ７６，７７，７８は、画像コマ３０の上端、中央、下端の位置に合わせて配置されている。
【００２９】
以下、本実施形態の作用について説明する。写真フイルム１７の読み取りを行うときには、先ず、写真フイルム１７の種類に合わせて移動原稿台４２を交換する。そして、操作パネルを操作して読み取りを行う写真フイルム１７の種類を入力すると、この入力された写真フイルムの種類に応じて、センサ７４、センサ７５、又はセンサ７６，７７，７８のいずれかが駆動する。そして挿入口５５から写真フイルム１７が挿入されるとセンサ７４、センサ７５、又はセンサ７６，７７，７８のいずれかが写真フイルム１７の先端を検知する。写真フイルム１７の先端が検知されると、モータ６７が回転し、フイルム送りローラ対５８，５９によるフイルム送りが開始して写真フイルム１７の読み取りが行われる。そして写真フイルム１７の先端が検出され、フイルム送りローラ対５８，５９による搬送が開始された後には、センサ７４、センサ７５、又はセンサ７６，７７，７８のいずれかは、各画像コマ３０の位置を検出する位置検出用センサとして、パーフォレーション８１，８２または、画像コマ３０のエッジを検出する。上述したように、写真フイルム１７の種類に合わせたフイルム送りローラ対５８，５９，及びキャリアマスク５７が組み込まれた移動原稿台４２に交換し、さらにセンサ７４〜７８により位置検出を行って搬送しているので、効率良く写真フイルム１７の読み取りを行うことができる。
【００３０】
なお、上記実施形態では、位置検出センサとして、フォトトランジスタなどの受光素子を使用しているが、本発明はこれに限らず、ＣＣＤイメージセンサなどの撮像素子を位置検出センサとして使用してもよい。また、移動原稿台４２は、取付軸と取付孔との嵌合により、フイルムキャリア１８への着脱を行っているが、これに限らず、移動原稿台４２、及びフイルムキャリア１８のいずれか一方に磁石を設け、磁気的吸引力により着脱を行うようにしてもよいし、移動原稿台４２の外形状に合わせた開口をフイルムキャリア側に設け、それに嵌め込むようにしてもよい。
【００３１】
また、上記例では、移動原稿台４２は、シャーカステン４４の上に位置する確認位置と開口４０ａの上に位置する読取位置との間を移動するときに、写真フイルム１７の搬送方向に沿って移動しているが、本発明はこれに限らず、搬送方向に対して、互いに並列な位置に、開口４０ａとシャーカステン４４とを配置し、搬送方向と直交する幅方向に沿って移動原稿台が移動するようにしてもよい。
【００３２】
【発明の効果】
本発明によれば、原稿台は、搬送ローラが組み込まれているとともに、キャリアベースに対して着脱自在に取り付けられ、写真フイルムの種類に応じて交換可能になっているので、原稿台を交換するだけで、様々な種類の写真フイルムに容易に応じることができる。
【図面の簡単な説明】
【図１】本発明を実施したデジタルプリントシステムの概略構成を示すブロック図である。
【図２】スキャナの概略構成を示す斜視図である。
【図３】画像読取装置の写真フイルム搬送系の概略を示す正面図である。
【図４】本発明のフイルムキャリアの概略を示す平面図である。
【図５】フイルムキャリアの使用時の状態を示す外観斜視図である。
【図６】フイルムキャリアのメインテナンス時の状態を示す外観斜視図である。
【図７】１１０タイプ、１２６タイプ、及びブローニータイプの写真フイルムをそれぞれ搬送しているフイルムキャリアの状態を示す説明図である。
【符号の説明】
１７，１７ａ，１７ｂ，１７ｃ  写真フイルム
１８  フイルムキャリア
２０  光源部
２１  読取光学部
３５  作業台
４０  キャリアベース
４１  カバー
４２  移動原稿台
４３  原稿台移動機構
４４  シャーカステン
７４  第１パーフォレーションセンサ
７５  第２パーフォレーションセンサ
７６，７７，７８  画面検出用センサ
【図１】
0004105858.tif 000002
【図２】
0004105858.tif 000003
【図３】
0004105858.tif 000004
【図４】
0004105858.tif 000005
【図５】
0004105858.tif 000006
【図６】
0004105858.tif 000007
【図７】
0004105858.tif 000008